(57)【要約】【課題】金具等を用いることなく、前飾り部材、幕板、及び天板を側板に組付けることができ、しかも極めて簡単な作業で組付け及び分解を行わせる節句用飾り台を提供する。【解決手段】平板階段状に形成された一対の側板４と、一対の側板４を連結し側板４を対峙状態に保持する保持部材５と、一対の側板４の水平部分に架設され階段状に配設された複数の天板７，８，９と、一対の側板４の垂直部分の前方に立設され複数の天板７，８，９間の隙間を塞ぐ幕板１１，１２と、下段天板７の下方に立設された前飾り部材６とを具備する。前飾り部材６は、その背面に設けられたダボを、側板４に形成されたダボ孔１８に嵌合させることにより組付けられ、天板７，８，９は、その底面に形成された凹部を側板４の水平部分に嵌合させることにより組付けられ、幕板１１，１２は、その背面に形成された背面凹部４５，４８を側板４の垂直部分に嵌合させることにより組付けられている。【選択図】        図２
0003104167.tif 000002
【実用新案登録請求の範囲】
【請求項１】
平板階段状に形成され左右両側に配設された一対の側板と、
該一対の側板を連結し、該側板を対峙状態に保持する保持部材と、
前記一対の側板における水平部分に架設され、階段状に配設された複数の天板と、
前記一対の側板における垂直部分の前方に立設され、前記複数の天板間の隙間を塞ぐ幕板と、
最下段の天板の下方に立設された前飾り部材と
を具備し、
前記前飾り部材は、その背面に設けられた係合部を、前記側板に形成された被係合部に嵌合させることにより組付けられ、
前記天板は、その底面に形成された凹部を前記側板の前記水平部分に嵌合させることにより組付けられ、
前記幕板は、その背面に形成された凹部を前記側板の前記垂直部分に嵌合させることにより組付けられている
ことを特徴とする節句用飾り台。
【請求項２】
前記複数の天板のうち最上段を除く天板は、その底面及び背面に形成された凹部を、夫々前記側板の前記水平部分及び前記垂直部分に嵌合させることにより組付けられていることを特徴とする請求項１に記載の節句用飾り台。
【請求項３】
前記一対の側板に、把持用の開口部が形成されていることを特徴とする請求項１または請求項２に記載の節句用飾り台。
【請求項４】
前記一対の側板の互いに対向する位置に、連結用の孔部が形成され、
前記保持部材は、前記側板の前記孔部を貫通して架設される連結杆と、該連結杆の端部に形成され前記孔部の周囲の板厚部分に嵌合する溝部とを備える
ことを特徴とする請求項１乃至請求項３のいずれか一つに記載の節句用飾り台。
【請求項５】
最上段の天板上に立設される屏風本体と、
該屏風本体の上面に取付けられるとともに、左右外方向に延出された延出部分を有する連結部材と、
前記屏風本体の側方に配設されるとともに、前記延出部分の底面に対し揺動可能に支持された袖体と
を有する節句用屏風をさらに備えることを特徴とする請求項１乃至請求項４のいずれか一つに記載の節句用飾り台。
【請求項６】
前記節句用屏風における前記屏風本体及び前記袖体は、両面が装飾された装飾色紙と、該装飾色紙の周縁を支持するとともに、互いに分解可能に組付けられた枠体とを有することを特徴とする請求項５に記載の節句用飾り台。
【考案の詳細な説明】
【技術分野】
【０００１】
本考案は、節句用飾り台に関し、特に、階段形状を呈する組立式の節句用飾り台に関するものである。
【背景技術】
【０００２】
雛人形や五月人形等の節句用飾りを載置する台として、階段状に構成されたものが知られており、特に素材として無垢の木や合板等の木材が使用された、重厚で質感の高い飾り台が提供されている。この飾り台は、一般に、平板階段状に形成された一対の側板と、これらの側板を連結し対峙した状態に保持する保持部材と、一対の側板における水平部分に架け渡され全体として階段状に配設される複数の天板と、各天板の上面後端部分に立設され天板間の隙間を塞ぐ幕板（縦部材）と、最下段の天板の下方に立設され装飾性を有する前飾り部材とから構成されている。なお、これらの部材は、まず、一対の側板を一本または複数本の保持部材で連結し、その後、これらの側板に対し、前飾り部材、下段の天板、下方の幕板、中段の天板、上方の幕板、及び上段の天板を、夫々順番に載置することにより階段状に組付けられるようになっている。
【０００３】
なお、保持部材は、一対の側板の内寸に一致する長さに形成された棒状の部材からなり、その両端を側板の内側面に内接させた状態で、螺子や金具を介して側板に取付けられている。また、前飾り部材及び幕板は、側板に対して固定されていないが、天板に対して係合されている。具体的には、前飾り部材及び幕板の上面、または天板の底面先端部分のいずれか一方にダボが形成され、反対側に形成されたダボ孔に嵌合させることにより係合されている。
【０００４】
以上の従来技術は、当業者において当然として行われているものであり、出願人は、この従来技術が記載された文献を知見していない。
【考案の開示】
【考案が解決しようとする課題】
【０００５】
しかし、上記の飾り台では、前飾り部材、幕板、及び天板は、いずれも側板に対して固定されていないことから、組付けられた飾り台を別の場所に移動することは困難とされていた。つまり、側板を持ち上げることにより、飾り台全体を持ち上げることができるものの、移動させる途中で傾いてしまうと、側板上から幕板や天板が滑り落ち、破損してしまう恐れがあった。また、前飾り部材は、ダボを介して天板に係合されているものの、このダボの嵌合は位置合わせのために設けられているに過ぎないことから、移動させる途中、前飾り部材の自重により天板から離脱し落下する恐れがあった。
【０００６】
ところで、最近では、住宅事情等から、比較的小型の飾り台が人気を集めており、これによれば飾り台を組付けたまま収納することも可能となっている。ところが、上記のような組付構造を採用した場合、飾り台をダンボール等の収納ケースに収納したり逆に収納ケースから取出したりする際に分解してしまう可能性があった。特に、収納ケースの中で分解した場合には部材同士がぶつかり合い、傷ついたり破損したりする恐れもある。
【０００７】
なお、上記の不都合を解消するため、前飾り部材、幕板、及び天板を、それぞれ側板に固定させるように構成した飾り台も提案されている。しかし、これによれば、金具等を介して固定させることから、その組付時及び分解時における手間が煩雑になるとともに、露出する金具によって美観を損ねる恐れもあった。
【０００８】
そこで、本考案は、上記の実状に鑑み、金具等を用いることなく、前飾り部材、幕板、及び天板を側板に組付けることができ、しかも極めて簡単な作業で組付け及び分解を行わせることが可能な節句用飾り台の提供を課題とするものである。
【課題を解決するための手段】
【０００９】
本考案にかかる節句用飾り台は、「平板階段状に形成され左右両側に配設された一対の側板と、該一対の側板を連結し、該側板を対峙状態に保持する保持部材と、前記一対の側板における水平部分に架設され、階段状に配設された複数の天板と、前記一対の側板における垂直部分の前方に立設され、前記複数の天板間の隙間を塞ぐ幕板と、最下段の天板の下方に立設された前飾り部材とを具備し、前記前飾り部材は、その背面に設けられた係合部を、前記側板に形成された被係合部に嵌合させることにより組付けられ、前記天板は、その底面に形成された凹部を前記側板の前記水平部分に嵌合させることにより組付けられ、前記幕板は、その背面に形成された凹部を前記側板の前記垂直部分に嵌合させることにより組付けられている」ものである。
【００１０】
ここで、「節句用飾り台」における段数は、二段以上であれば何段であっても構わない。なお、段数を三段とした場合には、天板の枚数は三枚となり、幕板の枚数は二枚となる。また、素材としては無垢や合板等の木材が好適であるが、木材以外の材料（例えば金属）で形成するようにしてもよい。また、天板の底面及び幕板の背面に形成される凹部は、一対の側板に対して夫々設ける（すなわち、夫々の側板の板厚に相当する幅の溝を二本設ける）ようにしてもよいが、一対の側板に対してまとめて設ける（すなわち、一対の側板の外寸に相当する幅の窪みを設ける）ようにしてもよい。さらに、係合部及び被係合部の構成としては、特に限定されるものではないが、例えば、ダボとダボ孔との組合わせを挙げることができる。
【００１１】
本考案の節句用飾り台によれば、保持部材によって連結された一対の側板に対して、前飾り部材、天板、及び幕板が組付けられることにより、飾り台として使用することが可能となる。例えば三段タイプの節句用飾り台では、まず、前飾り部材が一対の側板に組付けられ、その後、下段の天板、下方の幕板、中段の天板、上方の幕板、及び上段の天板が順に組付けられる。前飾り部材の背面には、係合部が形成されており、これらの係合部を側板に形成された被係合部に嵌合させることにより、前飾り部材が一対の側板に対して固定された状態となる。
【００１２】
天板の底面には、凹部（例えば側板の板厚に相当する幅の溝）が形成されており、この凹部を側板の水平部分に嵌合させることにより、天板が一対の側板に対して係合された状態となる。また、幕板の背面にも凹部（例えば側板の厚みに相当する幅の溝）が形成されており、この凹部を側板の垂直部分に嵌合させることにより、幕板が一対の側板に対して係合された状態となる。
【００１３】
ところで、本考案の節句用飾り台において、「前記複数の天板のうち最上段を除く天板は、その底面及び背面に形成された凹部を、夫々前記側板の前記水平部分及び前記垂直部分に嵌合させることにより組付けられている」構成とすることができる。
【００１４】
これによれば、最上段以外の天板には、底面ばかりではなく背面においても凹部が形成されており、側板の水平部分及び垂直部分に対して嵌合する。このため、天板の係合状態が一層確実となる。また、これによれば、幕板における背面とその下方の天板における背面とが連続した面となり、美観を高めることが可能になる。
【００１５】
また、本考案の節句用飾り台において、「前記一対の側板に、把持用の開口部が形成されている」構成とすることができる。
【００１６】
これによれば、把持用の開口部に手を掛けることにより、一対の側板を容易に持ち上げることが可能になる。このため、飾り台を別の場所に移動したり収納したりすることが容易になる。
【００１７】
また、本考案の節句用飾り台において、「前記一対の側板の互いに対向する位置に、連結用の孔部が形成され、前記保持部材は、前記側板の前記孔部を貫通して架設される連結杆と、該連結杆の端部に形成され前記孔部の周囲の板厚部分に嵌合する溝部とを備える」構成とすることができる。
【００１８】
これによれば、夫々の側板に形成された孔部に、保持部材の端部を挿入し、その端部に形成された溝部を孔部の周囲に嵌合させると、保持部材の両端が夫々の側板に係合される。すなわち、金具や螺子等を用いることなく、保持部材を組付け、一対の側板を対峙した状態で保持することが可能になる。
【００１９】
ところで、本考案の節句用飾り台において、「最上段の天板上に立設される屏風本体と、該屏風本体の上面に取付けられるとともに、左右外方向に延出された延出部分を有する連結部材と、前記屏風本体の側方に配設されるとともに、前記延出部分の底面に対し揺動可能に支持された袖体とを有する節句用屏風をさらに備える」構成とすることができる。
【００２０】
これによれば、屏風本体及びその両側の袖体からなる節句用屏風が、最上段の天板上に配設される。ところで、屏風は、人形等の後方に風よけ或いは装飾のために設けられるが、従来のものは模様が常に一様であることからマンネリズムとなり、新鮮味に欠けてしまうという不具合が生じていた。ところが、本発明の節句用屏風における袖体は、屏風本体の上面に取付けられた連結部材の延出部分に軸支されているため、屏風本体に対して揺動可能となる。すなわち、屏風本体におけるいずれの面を正面に向けた場合でも、それに合わせて袖体を斜め前方に傾けることが可能となる。換言すれば、節句用屏風がリバーシブルな構成となり、前後を反転させて使用することが可能となる。このため、屏風本体及び袖体に装着される色紙として、両面に互いに異なる装飾が施された色紙を用いれば、屏風本体及び袖体を裏返すだけで、異なる模様を楽しませることが可能になる。
【００２１】
また、この場合、「前記節句用屏風における前記屏風本体及び前記袖体は、両面が装飾された装飾色紙と、該装飾色紙の周縁を支持するとともに、互いに分解可能に組付けられた枠体とを有する」構成とすることが好ましい。
【００２２】
これによれば、屏風本体及び前記袖体を構成する枠体が分解可能に構成されていることから、枠体に支持された色紙を容易に取り外すことが可能になる。すなわち、別の模様の色紙に取り替えて、新鮮味を与えることが可能になる。
【考案の効果】
【００２３】
このように、本考案の節句用飾り台によれば、前飾り部材が一対の側板に固定され、天板及び幕板が側板に係合されるため、側板を持ち上げても、前飾り部材が離脱して落下したり、天板及び幕板が側板から滑り落ちたりすることを防止できる。しかも、金具や螺子を用いることなく、極めて簡単な操作で組付けることができる。
【考案を実施するための最良の形態】
【００２４】
以下、本考案の一実施形態である節句用飾り台について、図１乃至図４に基づき説明する。図１及び図２は節句用飾り台の構成を示す斜視図及び分解斜視図であり、図３は節句用飾り台の構成を示す断面図であり、図４は節句用飾り台における屏風の構成を示す正面図である。本実施形態の節句用飾り台１は、雛人形や五月人形等を載置するための組立式の飾り台であり、図１に示すように、木製の台本体２とその上に立設される屏風３とから構成されている。台本体２は、一対の側板４と、二本の保持部材５と、前飾り部材６と、三枚の天板１０（下段天板７，中段天板８，上段天板９）と、二枚の幕板１３（下側幕板１１，上側幕板１２）とを具備している。
【００２５】
各構成について図２を基に説明する。側板４は、階段状に形成された板材からなり、左右両側に配置され、節句用飾り台１における基部として設けられている。この側板４の後部側には、後述する保持部材５を連結するための、長孔状の孔部１５と上方に開口した切欠１６とが設けられている。また側板４の略中央には、台本体２を持ち上げる際に手を掛けるための把持用開口部１７が設けられ、側板４の前部側には、後述する前飾り部材６を係合させるためのダボ孔１８が穿設されている。ここで、ダボ孔１８が本発明の被係合部に相当する。さらに、側板４の上面における各段の境界部分（すなわち水平部分の後端）には、溝状の窪み１９が形成されており、これにより、後端側以外の水平部分が上方に突出した状態となっている。すなわち、窪み１９により突出部２０が形成されている。
【００２６】
保持部材５は、一対の側板４を連結して対峙状態に保持するものであり、一方の保持部材５は、側板４の下部側に形成された孔部１５を貫通して架設され、他方の保持部材５は上部側の切欠１６を貫通して架設されている。これらの保持部材５は、いずれも棒状の連結杆２５と、その両端部に形成され溝部２６とから構成されている。つまり、両端の溝部２６を孔部１５または切欠１６の下部側の板厚部分に嵌合することにより、一対の側板４を対峙状態に保持している。
【００２７】
前飾り部材６は、下段天板７の下方に立設された部材であり、下段天板７の下方の空間を塞ぐ覆い部２８と、覆い部２８の表面側に形成された飾り部２９と、覆い部２８の裏面から突出し側板４の先端部分に内接する一対の取付部３０と、取付部３０の外側面に形成され側板４のダボ孔１８に嵌合されるダボ３１（図３参照）とから構成されている。なお、本例では、一対の取付部３０の間隔（外寸）は、一対の側板４の内寸に一致し、ダボ３１の突出高さは、側板４の板厚に略一致している。また、覆い部２８の長さ方向の寸法は一対の側板４の外寸よりも大きく、また覆い部２８の高さは側板４における下段の高さよりも低くなっている。つまり、図３に示すように、側板４に対して前飾り部材６を組付けた状態では、下段における突出部２０が前飾り部材６の上面よりも突出した状態となる。ここで、ダボ３１が本発明の係合部に相当する。
【００２８】
下段天板７は、略平板状に形成されているが、その底面には、側板４の下段における突出部２０（水平部分）に嵌合する底面凹部３３が設けられ、背面には、側板４における垂直部分に嵌合する背面凹部３４が設けられている。つまり、下段天板７は、側板４の水平部分及び垂直部分に夫々嵌合することにより、所定の位置に保持されている。
【００２９】
中段天板８は、下段天板７と同様、その底面には、側板４の中段における突出部２０（水平部分）に嵌合する底面凹部３６が設けられ、背面には、側板４における垂直部分と嵌合する背面凹部３７が設けられている。
【００３０】
上段天板９は、下段天板７及び中段天板８と同様に、その底面には、側板４の上段における突出部２０（水平部分）に嵌合する底面凹部３９が設けられている。なお、上段には垂直部分がないことから背面凹部に相当するものは形成されていない。また、上段天板９の上面後端側には、屏風３を取付けるためのダボ孔４１が設けられている。ここで、各天板7，８，９における底面凹部３３，３６，３９及び背面凹部３４，３７が本発明の凹部に相当する。
【００３１】
下側幕板１１は、下段天板７と中段天板８との隙間を塞ぐ縦板であり、下段天板７と同一長さの覆い部４３と、覆い部４３の表面に設けられた飾り部４４とから構成されており、特に覆い部４３の背面には、側板４の垂直部分と嵌合する背面凹部４５が形成されている。また、上側幕板１２は、中段天板８と上段天板９との隙間を塞ぐ縦板であり、下側幕板１１と同様、覆い部４６及び飾り部４７から構成されるとともに、覆い部４６の背面には背面凹部４８が形成されている。
【００３２】
一方、屏風３は、図４に示すように、上段天板９上に立設される屏風本体５０と、屏風本体５０の左右側方に配設される一対の袖体５１と、屏風本体５０及び袖体５１を互いに連結する連結部材５２とから構成されている。袖体５１の上面における屏風本体５０側の端部付近には、上方に突出した軸部５４が設けられており、連結部材５２の延出部分５３の底面に形成された孔部（図示しない）に挿入されている。つまり、各袖体５１は、軸部５４を中心として揺動可能な状態で取付けられている。このため、屏風本体５０の表裏いずれの面を正面に向けた場合でも、それに合わせて各袖体５１を斜め前方に傾け、立設可能な装飾状態（図１参照）に変位させることができる。なお、屏風本体５０及び袖体５１の底面には、下方に突出するダボ５６が設けられている。
【００３３】
また、屏風本体５０及び袖体５１は、いずれも分解可能な四本の枠体５７と、それらの枠体５７によって支持される装飾色紙５８とから構成されている。なお、枠体５７はダボ及びダボ孔の嵌合により組付けられており、その内周面には装飾色紙５８の周縁を挟込むための溝部（図示しない）が形成されている。また、装飾色紙５８の一方の面には金色の着色が施され、他方の面には桃の花の絵が描かれている。また、本例では屏風本体５０における上部の枠体５７と連結部材５２とを兼用し、構成の簡略化を図っている。
【００３４】
次に、本実施形態の節句用飾り台１の組付方法について説明する。まず、一対の側板４を対向させ、夫々の側板4に形成された孔部１５及び切欠１６に、保持部材５の端部を挿入し、その端部に形成された溝部２６を孔部１５及び切欠１６の周縁に嵌合させる。なお、切欠１６は上方が開放されているため、保持部材５を上方から切欠１６内に落とし込むことも可能である。このように、保持部材５の両端を各側板４に嵌合させることにより、一対の側板４を対峙した状態で保持することが可能になる。
【００３５】
続いて、一対の側板４の先端部分に前飾り部材６を組付ける。具体的には、前飾り部材６の取付部３０を一対の側板４の間に挿入し、その取付部３０に設けられたダボ３１を、側板４に穿設されたダボ孔１８に内側から嵌込む。なお、前飾り部材６を組付ける際、一対の側板４は保持部材５によって一定の間隔に保持されているが、その保持位置は側板４の後部側であるため、側板４の先端側を互いに離反させるように撓ませることにより、左右両側から突出するダボ３１を側板４の内側に位置させることが可能となる。
【００３６】
その後、下段天板７を、側板４の下段における水平部分及び前飾り部材６の覆い部２８上に架設する。この際、下段天板７の底面に形成された底面凹部３３を側板４の突出部２０（水平部分）に嵌合させるとともに、下段天板７の背面に形成された背面凹部３４を側板４の垂直部分に嵌合させる。次に、下段天板７の上面後端に下側幕板１１を載置する。この際も、下側幕板１１の背面に形成された背面凹部４５を側板４の垂直部分に嵌合させる。
【００３７】
また、同様に、中段天板８を、側板４の中段における水平部分及び下側幕板１１の覆い部４３上に架設し、中段天板８の底面に形成された底面凹部３６を側板４の突出部２０（水平部分）に嵌合させるとともに、中段天板８の背面に形成された背面凹部３７を側板４の垂直部分に嵌合させる。また、中段天板８の上面後端に上側幕板１２を載置し、上側幕板１２の背面に形成された背面凹部４８を側板４の垂直部分に嵌合させる。
【００３８】
次に、上段天板９を、側板４の上段における水平部分及び上側幕板１２の覆い部４６上に架設し、上段天板９の底面に形成された底面凹部３９を側板４の突出部２０（水平部分）に嵌合させる。その後、上段天板９の上面に形成されたダボ孔４１に、屏風３のダボ５６を嵌込むことにより、上段天板９上に屏風３を立設させる。
【００３９】
なお、屏風３は揺動可能に構成されているため、希望の絵柄または色彩が施された面を正面に向け、屏風本体５０及び袖体５１の底面に形成されたダボ５６をダボ孔４１に挿入することにより、屏風本体５０と袖体５１とを適切な位置に配設することができる。なお、屏風本体５０及び袖体５１の枠体５７は容易に分解することができるため、装飾色紙５８を別の絵柄のものと取り替えることも可能である。
【００４０】
このように、上記の節句用飾り台１によれば、前飾り部材６が一対の側板４に固定され、複数の天板１０及び複数の幕板１３が側板４に係合されているため、側板４を持ち上げた際に、前飾り部材６が離脱して落下したり、天板１０及び幕板１３が側板４から滑り落ちたりすることを防止することができる。つまり、金具や螺子を全く用いることなく、極めて簡単な操作で組付けることができる。また、移動可能なことから、別の場所（例えば比較的広いスペースを有する場所）で組付け、その後、設置場所に移動させることも可能となる。従って、組付け時及び収納時における負担を軽減し、利便性を向上させることができる。
【００４１】
また、節句用飾り台１を比較的小型に構成した場合には、台本体２ごと収納することも可能である。この場合、台本体２の内部には保持部材５しか配設されていないため、雛人形や屏風３を、台本体２の内部に収納することが可能となり、収納における省スペース化を図ることができる。
【００４２】
さらに、上記の節句用飾り台１によれば、屏風３をリバーシブルな構成としたことにより、異なる模様を楽しませることができ、新鮮味を与えることが可能となる。
【００４３】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００４４】
すなわち、本実施形態の節句用飾り台１では、下段天板７及び中段天板８において、底面と背面の両方に嵌合用の凹部を設けるものを示したが、底面のみに凹部を設けるようにしてもよい。ただし、上記実施形態のように構成すれば、下段天板７及び中段天板８の係合状態が一層確実となるとともに、下側幕板１１及び上側幕板１２における背面とその下方の下段天板７及び中段天板８における背面との連続性が維持され、美観を高めることが可能になる。
【００４５】
また、本実施形態の節句用飾り台１では、上段天板９にダボ孔４１を形成し、このダボ孔４１に屏風３のダボ５６を嵌合させるものを示したが、ダボ孔４１及びダボ５６を設けることなく、単に上段天板９上に載置させるようにしても構わない。ただし、上記実施形態のように構成すれば、屏風３を安定して立設させることができるとともに、屏風本体５０及び袖体５１の相対角度が一定の角度に維持され、重厚さを保つことができる。
【図面の簡単な説明】
【００４６】
【図１】節句用飾り台の構成を示す斜視図である。
【図２】節句用飾り台の構成を示す分解斜視図である。
【図３】節句用飾り台の構成を示す断面図である。
【図４】屏風の構成を示す正面図である。
【符号の説明】
【００４７】
１  節句用飾り台
３  屏風
４  側板
５  保持部材
６  前飾り部材
１０  天板
１３  幕板
１５  孔部
１７  把持用開口部
１８  ダボ孔（被係合部）
２５  連結杆
２６  溝部
３１  ダボ（係合部）
３３，３６，３９，  底面凹部（凹部）
３４，３７，４０，４５，４８  背面凹部（凹部）
５０  屏風本体
５１  袖体
５２  連結部材
５３  延出部分
５７  枠体
５８  装飾色紙
【図１】
0003104167.tif 000003
【図２】
0003104167.tif 000004
【図３】
0003104167.tif 000005
【図４】
0003104167.tif 000006